(57)【要約】【課題】側部支持部及び底部支持部を上下方向に回動可能にし、更には側部支持部、連結部及び底部支持部の捻じれを防止するドリンクホルダーを提供する。【解決手段】ドリンク容器の周囲を囲む側部支持部６２と、ドリンク容器を支持し得る底部支持部６３と、側部支持部６２と底部支持部６３を連結する連結部６４と、側部支持部６２及び底部支持部６３を上下方向へ回動可能に支持する柱部４を備えたドリンクホルダー６０であって、側部支持部６２は、前面に開放部分６６ａを備えるよう周回して形成されると共に、連結部６４は、隙間６８を備えるよう延在して形成され、側部支持部６２及び底部支持部６３を上下方向へ回動させる際には、側部支持部６２及び底部支持部６３の捻じれを防止するよう構成される。【選択図】        図１
2005000438.tif 000002
【特許請求の範囲】
【請求項１】
ドリンク容器の周囲を囲む側部支持部と、前記ドリンク容器を支持し得る底部支持部と、前記側部支持部と底部支持部を連結する連結部と、前記側部支持部及び底部支持部を上下方向へ回動可能に支持する柱部を備えたドリンクホルダーであって、
前記側部支持部は、前面に開放部分を備えるよう周回して形成されると共に、前記連結部は、側部支持部の開放部分から底部支持部へ向かって隙間を備えるよう延在して形成され、
前記ドリンク容器で取手付きのものを支持する際には、ドリンク容器の取手を連結部の隙間に配置すると共に、側部支持部及び底部支持部を上下方向へ回動させる際には、側部支持部及び底部支持部の捻じれを防止するよう構成されたことを特徴とするドリンクホルダー。
【請求項２】
連結部を一枚のプレート板で形成した請求項１記載のドリンクホルダー。
【請求項３】
柱部に設けられる軸部と、該軸部を水平回動可能に支持して取付面に設置し得る取付体とを備えた請求項１又は２記載のドリンクホルダー。
【請求項４】
柱部を取付面に設置し得る取付体を備え、前記取付体は、柱部を側方より差し込み得るよう上下方向の切込を形成した挟込部と、該挟込部を軸転可能に内嵌すると共に外部から挟込部の切込へ連通させる通路切込を形成した基部とを備え、
前記柱部を取付体に取り付ける際には、柱部を、基部の通路切込を介して挟込部の切込へ差し込むことにより挟込部で支持し、且つ挟込部の軸転により柱部を水平回動させるよう構成した請求項１又は２記載のドリンクホルダー。
【請求項５】
柱部を取付面に設置し得る取付体を備え、前記取付体は、上下方向への貫通孔を形成すると共に貫通孔へ連通させる通路切込を形成し、
前記柱部を取付体に支持する際には、柱部を、取付体の通路切込を介して貫通孔へ挿入することにより取付体で支持し、且つ柱部を貫通孔内で水平回動させるよう構成した請求項１又は２記載のドリンクホルダー。
【請求項６】
柱部を取付面に設置し得る取付体を備え、前記取付体は、上下方向への貫通孔を形成すると共に貫通孔へ連通させる通路切込を形成した基部と、貫通孔へ挿入して貫通孔の周方向に沿ってスライドし得る案内部とを備え、前記柱部を取付体に支持する際には、柱部を、取付体の通路切込を介して貫通孔へ挿入し且つ柱部の挿入で形成された貫通孔の隙間に案内部を挿入して支持し、更に案内部の貫通孔でのスライドにより柱部を水平回動させるよう構成した請求項１又は２記載のドリンクホルダー。
【請求項７】
取付体の両側を挟み込む屈曲形状の両側部と、取付体の下方を支持する突起部と、取付面に取り付けられる接続面とを形成した固定部を備え、取付体を固定部に取り付ける際には、取付体を上方からスライド挿入して両側部及び突起部に掛止するよう構成した請求項３〜６のいずれかに記載のドリンクホルダー。
【発明の詳細な説明】
【０００１】
【発明の属する技術分野】
本発明は、飲み物を手軽に安定した状態で置き得るよう構成されたドリンクホルダーに関するものである。
【０００２】
【従来の技術】
一般に、パチンコ、スロット等の遊戯台には、缶やカップ等のドリンク容器を支持するドリンクホルダーを備えている。
【０００３】
図１６には従来のドリンクホルダー１を示し、従来のドリンクホルダー１は、遊戯台のガラス面、枠部、島台等の略垂直な取付面２に両面テープ等の貼付手段３を介して固着される金属プレートの柱部４を備えており、柱部４の上端両側には、取付面２の反対側に延在して相対向する一対の上方腕部５を形成し、柱部４の下端両側には、同様に取付面２の反対側に延在して相対向する一対の下方腕部６を形成し、下方腕部６には、先端から互いに対向する方向に延在する前方支持部７を備えている。
【０００４】
上方腕部５には、水平方向の同一軸線上に位置する係止孔８，８を夫々形成し、下方腕部６には、同様に水平方向の同一軸線上に位置する係止孔９，９を夫々形成し、上方腕部５の係止孔８，８には、線材からなる側部支持部１０を、下方腕部６の係止孔９，９には、同様な線材からなる底部支持部１１を備えている。
【０００５】
側部支持部１０は、略水平に延在する二本の平行部１２と、平行部１２の先端から互いに離反する方向へ延在して上方腕部５の係止孔８，８に挿入される外曲部１３と、平行部１２の反外曲部側の端部より両者を結ぶよう環状に延在する所定の大きさの上方環状部１４とから形成されており、底部支持部１１は、略水平に延在する二本の平行部１５と、平行部１５の先端から互いに離反する方向へ延在して下方腕部６の係止孔９，９に挿入される外曲部１６と、平行部１５の反外曲部側の端部より両者を結ぶよう環状に延在する所定の大きさの下方環状部１７と、下方環状部１７を径方向に結ぶ波形の支持部１８とから形成されている。
【０００６】
側部支持部１０と底部支持部１１における柱部４の反対側には、上方環状部１４と下方環状部１７の所定位置を巻込んで接続する連結部１９を取り付けており、上方環状部１４と下方環状部１７における連結部１９の両側部分には、金属製もしくはゴム製のストッパー２０を固着し、連結部１９が上方環状部１４及び下方環状部１７の環状に沿ってずれないようにしている。
【０００７】
ドリンクホルダー１を使用する場合には、側部支持部１０の上方環状部１４に缶やカップ等のドリンク容器（図示せず）を挿入して側部支持部１０によりドリンク容器の側部を支持させると共に底部支持部１１によりドリンク容器の底部を支持させる。又、ドリンクホルダー１を使用しない場合には、側部支持部１０と底部支持部１１を上方へ回動させる。
【０００８】
図１７には、構造を変形した他の例のドリンクホルダー２１を示し、他の例のドリンクホルダー２１は、遊戯台のガラス面、枠部、島台等の略垂直な取付面２に、両面テープ等の貼付手段３を介して固着される金属プレートの柱部２２を備え、柱部２２の上下端には、取付面２の反対側に延在して相対向する天井面２３及び底面２４を形成し、天井面２３及び底面２４の間には、突起部２５を介して水平回動可能に支持される軸部２６を配置している。
【０００９】
軸部２６には、ドリンク容器（図示せず）の底部を支持する底部支持部２７と、ドリンク容器の側部を支持する側部支持部２８とを備えており、底部支持部２７は、一本の線材を曲げて、両端に平行な一対の垂直立上がり部２９を形成すると共に、中間部にほぼ凹形状の底部支持面３０を形成し、一対の垂直立上がり部２９の上下部を、柱部２２の軸部２６に溶接や熱接着等で固定している。又、側部支持部２８は、一本の線材を曲げて、両端に平行な一対の垂直立下がり部３１を形成すると共に、中間部にほぼ円形の上方周回部３２を形成し、一対の垂直立下がり部３１下端を、底部支持部２７の底部支持面３０に溶接や熱接着等で固定すると共に、上方周回部３２を、底部支持部２７の垂直立上がり部２９の上部に溶接や熱接着等で固定している。ここで、一対の垂直立下がり部３１の間には所定の隙間３３が形成されている。
【００１０】
ドリンクホルダー２１を使用する場合には、缶やカップ等のドリンク容器（図示せず）を側部支持部２８の上方周回部３２に挿入して側部支持部２８によりドリンク容器の側部を支持させると共に底部支持部２７によりドリンク容器の底部を支持させる。又、ドリンク容器が取手付きの場合は、ドリンク容器を側部支持部２８の上方周回部３２に挿入すると共に、ドリンク容器の取手を隙間３３に配置すると共に、側部支持部２８及び底部支持部２７によりドリンク容器を支持させる。
【００１１】
図１８には、構造を更に変形した他の例のドリンクホルダー３４を示し、図中、図１６と同一の符号を付した部分は同一物を表わしている。他の例のドリンクホルダー３４は、先のドリンクホルダー１と略同様な金属プレートの柱部４を備えており、柱部４の前方中央面には、上下方向に延在する軸部３５を溶接し、柱部４の後方には、柱部４と略平行に延在する背面板３６と、軸部３５を水平回動可能に上下方向で挟み込む上板部３７及び下板部３８とからなる取付体３９を備えている。ここで、軸部３５の下端には、ワッシャ（図示せず）を介して締付量調整用カラー４０を締結しており、締付量調整用カラー４０の締結の強さによって側部支持部等の水平方向の回動の硬さを制御している。
【００１２】
ここで、取付面２には、両面テープ等の貼付手段３を介して取り付けられる固定部４１を備えており、固定部４１は、上下方向に延びるプレート４２の両側を内方へ屈曲して形成した両側部４３を備えており、固定部４１には、取付体３９の背面板３６を上方から下方へスライドさせて固定部４１の両側部４３に挟み込ませると共に上板部３７を両側部４３の上端に掛止させることにより取付面２へ支持可能にしている。
【００１３】
一方、柱部４の上方腕部５には、線材からなる側部支持部４４を、柱部４の下方腕部６には、同様な線材からなる底部支持部４５を備えており、側部支持部４４は、略水平に延在する二本の平行部４６と、平行部４６の先端から互いに離反する方向へ延在して上方腕部５の係止孔８，８に挿入される外曲部４７と、平行部４６の反外曲部側の端部より略環状に周回する所定の大きさの周回部４８と、前面に開放部分４９ａを有するよう周回部４８の反支持部側の先端に位置する直線部４９とから形成されている。ここで、側部支持部４４は、分割されて左右一対の状態となっている。又、底部支持部４５は、略水平に延在する二本の平行部５０と、平行部５０の先端から互いに離反する方向へ延在して下方腕部６の係止孔９，９に挿入される外曲部５１と、平行部５０の反外曲部側の端部より両者を結ぶよう環状に延在する所定の大きさの下方環状部５２と、下方環状部５２の前方を直線にした直線部５３と、下方環状部５２を径方向に結ぶ波形の支持部５４とから形成されている。
【００１４】
側部支持部４４の直線部４９及び底部支持部４５の直線部５３には、側部支持部４４と底部支持部４５を連結して隙間５５を形成するよう二本の線材の連結部５６を取り付けており、直線部４９，５３において連結部５６の隣接する両側部分には、連結部５６が直線部４９，５３に沿ってずれないよう、金属製のストッパー５７を固着している。
【００１５】
ドリンクホルダー３４を使用する場合には、缶やカップ等のドリンク容器（図示せず）を側部支持部４４の周回部４８に挿入して側部支持部４４によりドリンク容器の側部を支持させると共に底部支持部４５によりドリンク容器の底部を支持させる。又、ドリンク容器が取手付きの場合は、ドリンク容器を側部支持部４４の周回部４８に挿入すると共に、ドリンク容器の取手を隙間５５に上方の開放部分４９ａから挿入し、取手を隙間５５に配置すると共に、側部支持部４４及び底部支持部４５によりドリンク容器を支持させる。
【００１６】
ドリンクホルダー３４を使用しない場合には、側部支持部４４と底部支持部４５を上方へ回動させると共に、水平回転可能な軸部３５より側部支持部４４と底部支持部４５を横へ退避させる。
【００１７】
なお、最初に示したドリンクホルダー１は特許文献１に記載されており、他の例に示したドリンクホルダー２１は特許文献２に記載されており、更に他の例に示したドリンクホルダー３４は特許文献３に記載されている。
【００１８】
【特許文献１】
登録実用新案第３０２９０４２号公報
【特許文献２】
登録実用新案第３０３９８８９号公報
【特許文献３】
登録実用新案第３０６１０４１号公報
【００１９】
【発明が解決しようとする課題】
しかしながら、最初に示したドリンクホルダー１は、取手を配置させる隙間を備えていないため、取手付きのドリンク容器を支持することができないという問題があり、他の例に示したドリンクホルダー２１は、側部支持部２８と底部支持部２７を固定するため、上下方向に回動させることができず、ドリンク容器を支持しない場合に邪魔になるという問題があり、更に他の例に示したドリンクホルダー３４は、側部支持部４４及び連結部５６が分割して形成されるため、上下方向に回動させる際には、側部支持部４４、連結部５６及び底部支持部４５に捻じれを生じ、破損しやすいという問題があった。更に、最初に示したドリンクホルダー１の如く、柱部４に水平回動可能な軸部を備えていない場合であっても、側部支持部１０、連結部１９及び底部支持部１１を容易に水平回転させるよう配置することが求められていた。
【００２０】
本発明は、上述の実情に鑑み、ドリンク容器で取手付きのものを支持すると共に、側部支持部及び底部支持部を上下方向に回動可能にし、更には側部支持部、連結部及び底部支持部の捻じれを防止するドリンクホルダーを提供することを目的とするものである。又、ドリンク容器を支持する部材に回転軸を固設していない場合であっても水平回転させ得るようにする。
【００２１】
【課題を解決するための手段】
本発明の請求項１は、ドリンク容器の周囲を囲む側部支持部と、前記ドリンク容器を支持し得る底部支持部と、前記側部支持部と底部支持部を連結する連結部と、前記側部支持部及び底部支持部を上下方向へ回動可能に支持する柱部を備えたドリンクホルダーであって、
前記側部支持部は、前面に開放部分を備えるよう周回して形成されると共に、前記連結部は、側部支持部の開放部分から底部支持部へ向かって隙間を備えるよう延在して形成され、
前記ドリンク容器で取手付きのものを支持する際には、ドリンク容器の取手を連結部の隙間に配置すると共に、側部支持部及び底部支持部を上下方向へ回動させる際には、側部支持部及び底部支持部の捻じれを防止するよう構成されたことを特徴とするドリンクホルダー、にかかるものである。
【００２２】
本発明の請求項２は、連結部を一枚のプレート板で形成した請求項１記載のドリンクホルダー、にかかるものである。
【００２３】
本発明の請求項３は、柱部に設けられる軸部と、該軸部を水平回動可能に支持して取付面に設置し得る取付体とを備えた請求項１又は２記載のドリンクホルダー、にかかるものである。
【００２４】
本発明の請求項４は、柱部を取付面に設置し得る取付体を備え、前記取付体は、柱部を側方より差し込み得るよう上下方向の切込を形成した挟込部と、該挟込部を軸転可能に内嵌すると共に外部から挟込部の切込へ連通させる通路切込を形成した基部とを備え、
前記柱部を取付体に取り付ける際には、柱部を、基部の通路切込を介して挟込部の切込へ差し込むことにより挟込部で支持し、且つ挟込部の軸転により柱部を水平回動させるよう構成した請求項１又は２記載のドリンクホルダー、にかかるものである。
【００２５】
本発明の請求項５は、柱部を取付面に設置し得る取付体を備え、前記取付体は、上下方向への貫通孔を形成すると共に貫通孔へ連通させる通路切込を形成し、前記柱部を取付体に支持する際には、柱部を、取付体の通路切込を介して貫通孔へ挿入することにより取付体で支持し、且つ柱部を貫通孔内で水平回動させるよう構成した請求項１又は２記載のドリンクホルダー、にかかるものである。
【００２６】
本発明の請求項６は、柱部を取付面に設置し得る取付体を備え、前記取付体は、上下方向への貫通孔を形成すると共に貫通孔へ連通させる通路切込を形成した基部と、貫通孔へ挿入して貫通孔の周方向に沿ってスライドし得る案内部とを備え、
前記柱部を取付体に支持する際には、柱部を、取付体の通路切込を介して貫通孔へ挿入し且つ柱部の挿入で形成された貫通孔の隙間に案内部を挿入して支持し、更に案内部の貫通孔でのスライドにより柱部を水平回動させるよう構成した請求項１又は２記載のドリンクホルダー、にかかるものである。
【００２７】
本発明の請求項７は、取付体の両側を挟み込む屈曲形状の両側部と、取付体の下方を支持する突起部と、取付面に取り付けられる接続面とを形成した固定部を備え、取付体を固定部に取り付ける際には、取付体を上方からスライド挿入して両側部及び突起部に掛止するよう構成した請求項３〜６のいずれかに記載のドリンクホルダー、にかかるものである。
【００２８】
このように、本発明の請求項１によれば、側部支持部の前面に開放部分を備えると共に連結部に隙間を備えることによりドリンク容器の取手を連結部の隙間に上方から挿入して配置し得るので、ドリンク容器で取手付きのものを支持することができる。又、側部支持部、底部支持部、連結部及び柱部の構成により、側部支持部及び底部支持部を上下方向へ回動し得るので、ドリンク容器を支持しない場合には側部支持部及び底部支持部を回動させて退避し、邪魔になることを防止できる。更に、側部支持部及び連結部が分割して形成されることがないよう、側部支持部は周回して一体に形成されると共に連結部は延在して一体に形成されるので、側部支持部及び連結部を強固に形成し、側部支持部及び底部支持部を上下方向に回動させる際には、側部支持部、連結部及び底部支持部に捻じれを抑制し、結果的に、捻じれに伴う破損を防止することができる。
【００２９】
本発明の請求項２に示す如く、連結部を一枚のプレート板で形成すると、連結部を一層強固にするので、側部支持部及び底部支持部を上下方向に回動させる際には、側部支持部、連結部及び底部支持部に捻じれを無くし、捻じれに伴う破損を確実に防止することができる。
【００３０】
本発明の請求項３によれば、軸部を水平回動可能に支持する取付体により、柱部を介して側部支持部及び底部支持部を左右方向に回動し得るので、ドリンク容器を支持しない場合には、側部支持部及び底部支持部を上下方向へ回動させると共に左右方向へ回動させて退避し、邪魔になることを一層防止できる。
【００３１】
本発明の請求項４、５又は６によれば、柱部に回転軸を備えていない場合であっても、取付体の基部と挟込部を介して柱部を軸転させるので、回転軸の有無に関係なく、側部支持部、連結部及び底部支持部を水平回転させることができる。又、柱部を水平回動させる際には、取付体の基部と挟込部により柱部を水平回転させるので、柱部に回転軸を固設するような複雑な構造を不要とし、結果的に製造コストを低減することができる。更に、柱部を取付体への差し込みにより取付体に接続するので、回動構成の組み立てを容易にし、取扱いを簡易にすることができる。更に又、側部支持部、連結部、底部支持部、柱部が破損した場合に容易に交換することができる。
【００３２】
又、請求項４によれば、挟込部に柱部を挟み込んで軸転させるので、柱部を安定的に水平回動させることができる。請求項５によれば、取付体は、柱部を軸転させる貫通孔のみで柱部を回動させるので、部品点数を低減して製造コストを一層低減することができる。請求項６によれば、案内部の大きさを変更することにより水平回動の硬さ及び柱部の締結を調整し得るので、柱部を適切に水平回動させると共に確実に保持することができる。
【００３３】
本発明の請求項７によれば、固定部を取付面に予め設けると共に、柱部及び取付体を予め組み立てておくことにより、取付体を固定部に上方からスライド挿入して両側部及び突起部に掛止し、固定部を介して取付体を取付面に迅速に接続することができる。又、側部支持部、連結部、底部支持部、柱部、取付体が破損した場合に容易に交換することができる。
【００３４】
【発明の実施の形態】
以下、本発明の実施の形態を図面に基いて説明する。
【００３５】
図１〜図７は本発明のドリンクホルダー６０の実施の形態の第一例を示すものであり、図中、図１６と同一の符号を付した部分は同一物を表わしている。
【００３６】
第一例のドリンクホルダー６０は、ドリンク容器６１（図６に示す）を周囲を囲む側部支持部６２と、ドリンク容器６１を載置し得る底部支持部６３と、側部支持部６２と底部支持部６３を連結する連結部６４と、上方腕部５及び下方腕部６を備えて取付面（図示せず）に両面テープ等に貼付手段３を介して設置し得る柱部４を備えている。
【００３７】
柱部４の上方腕部５には、係止孔８を挿通して支持される側部支持部６２を備えており、側部支持部６２は、一本の線材を曲げることにより、環状に湾曲する周回部６５と、柱部４の反対側に位置する前面に開放部分６６ａを備える直線部６６と、直線部６６の端部を潰して形成される掛止部６７とから構成されている。ここで、開放部分６６ａを介して相対する直線部６６は、同軸上に配置することが好ましい。
【００３８】
又、柱部４の下方腕部６には、係止孔９を挿通して支持される底部支持部６３を備えており、底部支持部６３は、略水平に延在する二本の平行部１５と、平行部１５の先端から互いに離反する方向へ延在して下方腕部６の係止孔９，９に挿入される外曲部１６と、平行部１５の反外曲部側の端部より両者を結ぶよう環状に延在する所定の大きさの下方環状部１７と、下方環状部１７の前面に内側へ凹んだ凹部１７ａ（図４に示す）と、下方環状部を径方向に結ぶ波形の支持部１８とから形成されている。
【００３９】
側部支持部６２と底部支持部６３を連結する連結部６４は、正面から見てＵ字の一枚のプレート板で形成されることにより、連結部６４の上端を、側部支持部６２の夫々の直線部６６に巻き付けて回動可能に接続すると共に、連結部６４の下端を、底部支持部６３の凹部１７ａを両側から挟み込むよう下方環状部１７に巻き付けて回動可能に接続し、側部支持部６２の開放部分６６ａから底部支持部６３の近傍位置まで隙間６８を備えている。ここで、連結部６４は、側部支持部６２の開放部分６６ａ及び隙間６８を備えるよう延在して形成されるものならば、正面からの形状を、Ｖ字のプレート板、水平な底部を有するプレート板、湾曲するプレート板等、どの様な形状でもよい。又、プレート板以外に、一本又は複数本の線材で形成してもよい。
【００４０】
以下、本発明の実施の形態の第一例の作用を説明する。
【００４１】
第一例のドリンクホルダー６０を使用する場合には、図６に示す如く、缶やカップ等のドリンク容器６１を側部支持部６２の周回部６５に挿入して側部支持部６２によりドリンク容器６１の側部６１ａを支持させると共に底部支持部６３によりドリンク容器６１の底部６１ｂを支持させる。又、ドリンク容器６１が取手６１ｃ付きの場合は、ドリンク容器６１を側部支持部６２の周回部６５に挿入すると共に、ドリンク容器６１の取手６１ｃを隙間６８に上方から挿入し、図６に示す如く、取手６１ｃを隙間６８に配置すると共に、側部支持部６２及び底部支持部６３によりドリンク容器６１を支持させる。
【００４２】
ドリンクホルダー６０を使用しない場合には、図７に示す如く、側部支持部６２と底部支持部６３を上方へ回動させる。この時、側部支持部６２と底部支持部６３は連結部６４により連動して回動させる。
【００４３】
このように、第一例のドリンクホルダー６０によれば、ドリンク容器６１の取手６１ｃを連結部６４の隙間６８に上方から挿入して配置し得るので、ドリンク容器６１で取手６１ｃ付きのものを支持することができる。又、側部支持部６２、底部支持部６３、連結部６４及び柱部４の構成により、側部支持部６２及び底部支持部６３を上下方向へ回動し得るので、ドリンク容器６１を支持しない場合には側部支持部６２及び底部支持部６３を回動させて退避し、邪魔になることを防止できる。更に、側部支持部６２及び連結部６４が分割して形成されることがないよう、側部支持部６２は周回して一体に形成されると共に連結部６４は延在して一体に形成されるので、側部支持部６２及び連結部６４を強固に形成し、側部支持部６２及び底部支持部６３を上下方向に回動させる際には、側部支持部６２、連結部６４及び底部支持部６３に捻じれを抑制し、結果的に、捻じれに伴う破損を防止することができる。
【００４４】
連結部６４を一枚のプレート板で形成すると、連結部６４を一層強固にするので、側部支持部６２及び底部支持部６３を上下方向に回動させる際には、側部支持部６２、連結部６４及び底部支持部６３に捻じれを無くし、捻じれに伴う破損を確実に防止することができる。
【００４５】
図８は、本発明のドリンクホルダー７０の実施の形態の第二例を示すものであり、第一例の柱部４の支持構造を変形したものである。なお、図中、図１〜図７と同一の符号を付した部分は同一物を表わしている。
【００４６】
第二例のドリンクホルダー７０は、第一例と略同様な側部支持部６２、連結部６４及び底部支持部６３を配置した金属プレートの柱部４を備えており、柱部４の前方中央面には、上下方向に延在する軸部７１を溶接し、柱部４の後方には、柱部４と略平行に延在して取付面への接続面を形成する背面板７２と、軸部７１を水平回動可能に上下方向で挟み込む上板部７３及び下板部７４とからなる取付体７５を備えている。ここで、軸部７１の下端には、ワッシャ（図示せず）を介して締付量調整用カラー７６を締結しており、締付量調整用カラー７６の締結の強さによって側部支持部６２等の水平方向の回動の硬さを制御している。
【００４７】
ここで、取付面（図示せず）には、両面テープ等の貼付手段３を介して取り付けられる固定部７７を備えており、固定部７７は、上下方向に延びるプレート７８の両側を内方へ屈曲して形成した両側部７９を備えており、固定部７７には、取付体７５の背面板７２を上方から下方へスライドさせて固定部７７の両側部７９に挟み込ませると共に上板部７３を両側部７９の上端に掛止させることにより、側部支持部６２、底部支持部６３、連結部６４を柱部４、軸部７１、背面板７２等を介して取付面２へ支持可能にしている。
【００４８】
以下、本発明の実施の形態の第二例の作用を説明する。
【００４９】
第二例のドリンクホルダー７０を使用する場合には、第一例と略同様に、缶やカップ等のドリンク容器（図示せず）を側部支持部６２の周回部６５に挿入して側部支持部６２によりドリンク容器の側部を支持させると共に底部支持部６３によりドリンク容器の底部を支持させる。又、ドリンク容器が取手付きの場合は、ドリンク容器を側部支持部６２の周回部６５に挿入すると共に、ドリンク容器の取手を隙間６８に上方から挿入し、取手を隙間６８に配置すると共に、側部支持部６２及び底部支持部６３によりドリンク容器を支持させる。
【００５０】
ドリンクホルダー７０を使用しない場合には、側部支持部６２と底部支持部６３を上方へ回動させると共に、水平回転可能な軸部７１より側部支持部６２と底部支持部６３を横へ回動させる。
【００５１】
このように、第二例のドリンクホルダー７０によれば、軸部７１を水平回動可能に支持する取付体７５により、柱部４を介して側部支持部６２及び底部支持部６３を左右方向に回動し得るので、ドリンク容器を支持しない場合には、側部支持部６２及び底部支持部６３を上下方向へ回動させると共に左右方向へ回動させて退避し、邪魔になることを一層防止できる。
【００５２】
又、取付面に取り付けられる接続面を有する背面板７２と、取付体７５の両側を挟み込む屈曲形状の両側部７９とを備える固定部７７を配置すると、取付体７５を取り付ける際には、固定部７７を取付面に予め着接しておくと共に側部支持部６２、連結部６４、底部支持部６３、柱部４及び取付体７５を予め組み立てておくことにより、固定部７７により取付体７５を取付面に迅速に接続することができる。更に、側部支持部６２、連結部６４、底部支持部６３、柱部４、取付体７５が破損した場合に容易に交換することができる。
【００５３】
更に、第二例によれば、第一例と同様の作用効果を得ることができる。
【００５４】
図９〜図１１は、本発明のドリンクホルダー８０の実施の形態の第三例を示すものであり、第一例の柱部４を支持し得る構造を変形したものである。なお、図中、図１〜図７と同一の符号を付した部分は同一物を表わしている。
【００５５】
第三例のドリンクホルダー８０は、第一例と略同様に、柱部４、側部支持部６２、連結部６４、底部支持部６３を備えており、柱部４には、取付面（図示せず）に設置し得る取付体８１とを備えている。
【００５６】
取付体８１は、上面８２から下面８３まで上下方向に延在する一本のスリット状の切込８４を側面に形成した円柱状の挟込部８５と、挟込部８５を軸転可能に内嵌し得る貫通孔８６を形成すると共に外部から挟込部８５の切込８４へ連通させるよう上面８７から下面８８まで上下方向に延在するスリット状の通路切込８９を裏面に形成した基部９０とを備え、基部９０は、通路切込８９を形成した裏面９１を略垂直面に形成すると共に、裏面９１と隣接の側面９２で形成される両側の角部９３を上から見て夫々鋭角になるよう構成している。
【００５７】
一方、遊戯台のガラス面、枠部、島台等の略垂直な取付面（図示せず）には、固定部９４を備えており、固定部９４は、図１１に示す如く、上下方向に延びるプレートからなって取付面への接続面を形成する背面板９５と、背面板９５の両側を垂直より若干内方へ屈曲して形成された略矩形の両側部９６と、背面板９５の下端に位置して反取付面側へ突出する突起部９７とを備え、背面板９５の接続面には、取付面に対して接着固定するための両面テープ等の貼付手段９８を取り付け、或いは、背面板９５には、ボルトによって取付面に固定するための複数のボルト孔９９（図１１では一個）を形成している。なお、貼付手段９８とボルト孔９９は、少くとも、どちらか一方を設けるようにすれば良い。又、本発明にかかるドリンクホルダー８０は、材質の全部又は一部を、ステンレス等の金属製やプラスチック等の樹脂製にすることができる。
【００５８】
ここで、固定部９４の他の例としては、図１２に示す如く背面板９５に差込部１００を備えたものがある。差込部１００は、プレート板を屈曲することにより、背面板９５の接続面に固定される接続板１０１と、接続板１０１の両側から固定部９４の反対側へ延在する両側板１０２とを備えたものある。
【００５９】
以下、本発明の実施の形態の第三例の作用を説明する。
【００６０】
第三例のドリンクホルダー８０を組み立てる際には、初めに図１０に示す如く、基部９０の貫通孔８６に挟込部８５を内嵌した取付体８１を準備し、柱部４の側面を基部９０の通路切込８９を介して挟込部８５の切込８４へ差し込むことにより柱部４を介して側部支持部６２、連結部６４、底部支持部６３を支持する。次に図１１に示す如く、基部９０と挟込部８５を軸転させて基部９０の裏面９１を連結部６４の反対側に向け、固定部９４に対して基部９０の裏面９１が面するよう取付体８１を上方からスライド挿入し、基部９０の角部９３を固定部９４の両側部９６に掛止させると共に基部９０の裏面９１の下端を固定部９４の突起部９７に掛止させることにより固定部９４、取付体８１、柱部４を介して側部支持部６２、連結部６４、底部支持部６３を取付面に取り付ける。一方、ドリンクホルダー８０を取り外す際には、逆の手順で分解し取り外す。
【００６１】
ここで、固定部９４に差込部１００を備える場合は、遊戯台Ｐと隣接する玉貸機Ｒの間の隙間Ｓに、所定幅の玉貸機Ｒが挟み込まれるよう差込部１００の両側板１０２を差込み、固定している。なお、差込部１００の固定を両面テープ等を用いて補強するよう貼付してもよい。
【００６２】
第三例のドリンクホルダー８０を使用する場合には、第一例と略同様に、缶やカップ等のドリンク容器を側部支持部６２の周回部６５に挿入して側部支持部６２によりドリンク容器の側部を支持させると共に底部支持部６３によりドリンク容器の底部を支持させる。又、ドリンク容器が取手付きの場合は、ドリンク容器を側部支持部６２の周回部６５に挿入すると共に、ドリンク容器の取手を隙間６８に上方から挿入し、取手を隙間６８に配置すると共に、側部支持部６２及び底部支持部６３によりドリンク容器を支持させる。
【００６３】
ドリンクホルダー８０を使用しない場合には、側部支持部６２と底部支持部６３を上方へ回動させると共に、基部９０に対する挟込部８５の軸転により、柱部４を介して側部支持部６２と底部支持部６３を横へ回動させる。
【００６４】
このように、第三例のドリンクホルダー８０によれば、第一例と略同様に、柱部４に回転軸を備えていない場合であっても、取付体８１の基部９０と挟込部８５を介して柱部４を軸転させるので、回転軸の有無に関係なく、側部支持部６２、連結部６４及び底部支持部６３を水平回転させることができる。又、柱部４を水平回動させる際には、取付体８１の基部９０と挟込部８５により柱部４を水平回転させるので、柱部４に回転軸を固設するような複雑な構造を不要とし、結果的に製造コストを低減することができる。更に、柱部４を取付体８１への差し込みにより取付体８１に接続するので、回動構成の組み立てを容易にし、取扱いを簡易にすることができる。更に又、側部支持部６２、連結部６４、底部支持部６３、柱部４等が破損した場合に容易に交換することができる。又、挟込部８５に柱部４を挟み込んで軸転させるので、柱部４を安定的に水平回動させることができる。
【００６５】
固定部９４を取付面に予め設けると共に、柱部４及び取付体８１を予め組み立てておくことにより、取付体８１を固定部９４に上方からスライド挿入して両側部９６及び突起部９７に掛止し、固定部９４を介して取付体８１を取付面に迅速に接続することができる。又、側部支持部６２、連結部６４、底部支持部６３、柱部４、取付体８１等が破損した場合に容易に交換することができる。
【００６６】
更に、第三例によれば、第一例と同様の作用効果を得ることができる。
【００６７】
図１３は、本発明のドリンクホルダー１１０の実施の形態の第四例を示すものであり、第四例の取付体８１の構造を変形したものである。なお、図中、図９〜図１２と同一の符号を付した部分は同一物を表わしている。
【００６８】
第四例のドリンクホルダー１１０の取付体８１は、上面８７から下面８８まで円柱空間の貫通孔８６を形成すると共に外部から貫通孔８６へ連通させるよう上面８７から下面８８まで上下方向に延在するスリット状の通路切込８９を形成しており、又、第一例と略同様に、通路切込８９を形成した面を略垂直な裏面９１に形成すると共に、裏面９１と隣接の側面で形成される両側の角部９３を上から見て夫々鋭角になるよう構成している。
【００６９】
以下、本発明の実施の形態の第四例の作用を説明する。
【００７０】
第四例のドリンクホルダー１１０を組み立てる際には、図１３に示す如く、柱部４の側面を取付体８１の通路切込８９を介して貫通孔８６へ挿入することにより柱部４の上方腕部５を取付体８１の上面８７で支持する。次に、取付体８１と柱部４を貫通孔８６内で軸転させて取付体８１の裏面９１を連結部６４の反対側に向け、固定部９４に対して取付体８１の裏面９１が面するよう取付体８１を上方からスライド挿入し、取付体８１の角部９３を固定部９４の両側部９６に掛止させると共に取付体８１の裏面９１の下端を固定部９４の突起部９７に掛止させることにより固定部９４、取付体８１、柱部４を介して側部支持部６２、連結部６４、底部支持部６３を取付面に取り付ける。又、ドリンクホルダー１１０を取り外す際には、逆の手順で分解し取り外す。なお、固定部９４には、第三例の差込部１００を備えてもよい。
【００７１】
第四例のドリンクホルダー１１０を使用する場合には、第一例と略同様に、缶やカップ等のドリンク容器を側部支持部６２の周回部６５に挿入して側部支持部６２によりドリンク容器の側部を支持させると共に底部支持部６３によりドリンク容器の底部を支持させる。又、ドリンク容器が取手付きの場合は、ドリンク容器を側部支持部６２の周回部６５に挿入すると共に、ドリンク容器の取手を隙間６８に上方から挿入し、取手を隙間６８に配置すると共に、側部支持部６２及び底部支持部６３によりドリンク容器を支持させる。
【００７２】
ドリンクホルダー１１０を使用しない場合には、側部支持部６２と底部支持部６３を上方へ回動させると共に、基部９０に対する柱部４の軸転により、側部支持部６２と底部支持部６３を横へ回動させる。
【００７３】
このように、第四例のドリンクホルダー１１０によれば、第三例と略同様に、柱部４に回転軸を備えていない場合であっても、取付体８１の基部９０を介して柱部４を軸転させるので、回転軸の有無に関係なく、側部支持部６２、連結部６４及び底部支持部６３を水平回転させることができる。又、柱部４を水平回動させる際には、取付体８１の基部９０により貫通孔８６で柱部４を水平回転させるので、柱部４に回転軸を固設するような複雑な構造を不要とし、結果的に製造コストを低減することができる。更に、柱部４を取付体８１への差し込みにより取付体８１に接続するので、回動構成の組み立てを容易にし、取扱いを簡易にすることができる。更に又、側部支持部６２、連結部６４、底部支持部６３、柱部４等が破損した場合に容易に交換することができる。又、取付体８１は、柱部４を軸転させる貫通孔８６のみで柱部４を回動させるので、部品点数を低減して製造コストを一層低減することができる。
【００７４】
更に、第四例によれば、第一例と第三例と同様の作用効果を得ることができる。
【００７５】
図１４、図１５は、本発明のドリンクホルダー１２０の実施の形態の第五例を示すものであり、第三例の取付体８１の構造を更に変形したものである。なお、図中、図９〜図１１と同一の符号を付した部分は同一物を表わしている。
【００７６】
第五例のドリンクホルダー１２０の取付体１２１は、上面１２２から下面１２３まで円柱空間の貫通孔１２４を形成すると共に外部から貫通孔１２４へ連通させるよう上面１２２から下面１２３まで上下方向に延在するスリット状の通路切込１２５を形成した基部１２６と、基部１２６の貫通孔１２４へ挿入し得ると共に円柱部を半割にした形状の２つの案内部１２７ａ，１２７ｂとを備えている。ここで、貫通孔１２４の上部には円周上のガイド溝１２８を形成し、案内部１２７ａ，１２７ｂの上部には、ガイド溝１２８に掛止し得る縁部１２９を形成している。又、第三例と略同様に、通路切込１２５を形成した面を略垂直な裏面１３０に形成すると共に、裏面１３０と隣接の側面１３１で形成される両側の角部１３２を上から見て夫々鋭角になるよう構成している。
【００７７】
以下、本発明の実施の形態の第五例の作用を説明する。
【００７８】
第五例のドリンクホルダー１２０を組み立てる際には、初めに図１４に示す如く、基部１２６の貫通孔１２４に一つ目の案内部１２７ａを内嵌した取付体１２１を準備し、柱部４の側面を取付体１２１の通路切込１２５を介して貫通孔１２４へ挿入し、柱部４の位置を決定する。次に図１５に示す如く、柱部４の挿入で形成された貫通孔１２４の隙間に２つ目の案内部１２７ｂを挿入して柱部４を支持し、更に、取付体１２１と柱部４を貫通孔１２４内で軸転させて取付体１２１の裏面１３０を連結部６４の反対側に向け、固定部９４に対して基部１２６の裏面１３０が面するよう取付体１２１を上方からスライド挿入し、取付体１２１の角部１３２を固定部９４の両側部９６に掛止させると共に取付体１２１の裏面１３０の下端を固定部９４の突起部９７に掛止させることにより固定部９４、取付体１２１、柱部４を介して側部支持部６２、連結部６４、底部支持部６３を取付面に取り付ける。又、ドリンクホルダー１２０を取り外す際には、逆の手順で分解し取り外す。なお、固定部９４には、第三例の差込部１００を備えてもよい。
【００７９】
第五例のドリンクホルダー１２０を使用する場合には、第一例と略同様に、缶やカップ等のドリンク容器を側部支持部６２の周回部６５に挿入して側部支持部６２によりドリンク容器の側部を支持させると共に底部支持部６３によりドリンク容器の底部を支持させる。又、ドリンク容器が取手付きの場合は、ドリンク容器を側部支持部６２の周回部６５に挿入すると共に、ドリンク容器の取手を隙間６８に上方から挿入し、取手を隙間６８に配置すると共に、側部支持部６２及び底部支持部６３によりドリンク容器を支持させる。
【００８０】
ドリンクホルダー１２０を使用しない場合には、側部支持部６２と底部支持部６３を上方へ回動させると共に、基部１２６に対する柱部４及び案内部１２７ａ，１２７ｂの軸転により、側部支持部６２と底部支持部６３を横へ回動させる。
【００８１】
このように、第五例のドリンクホルダー１２０によれば、第三例と略同様に、柱部４に回転軸を備えていない場合であっても、取付体１２１の基部１２６に対して柱部４及び案内部１２７ａ，１２７ｂを軸転させるので、回転軸の有無に関係なく、側部支持部６２、連結部６４及び底部支持部６３を水平回転させることができる。又、柱部４を水平回動させる際には、取付体１２１の基部１２６により柱部４及び案内部１２７ａ，１２７ｂを水平回転させるので、柱部４に回転軸を固設するような複雑な構造を不要とし、結果的に製造コストを低減することができる。更に、柱部４を取付体１２１への差し込みにより取付体１２１に接続するので、回動構成の組み立てを容易にし、取扱いを簡易にすることができる。更に又、側部支持部６２、連結部６４、底部支持部６３、柱部４等が破損した場合に容易に交換することができる。又、案内部１２７ａ，１２７ｂの大きさを変更することにより水平回動の硬さ及び柱部４の締結を調整し得るので、柱部４を適切に水平回動させると共に確実に保持することができる。
【００８２】
更に、第五例によれば、第一例と第三例と同様の作用効果を得ることができる。
【００８３】
なお、本発明は、上述の実施の形態のみに限定されるものではなく、側部支持部はドリンク容器を囲んで支持し得るならばどの様な形状でもよいこと、第三例〜第五例のドリンクホルダーの基部に対して柱部が軸転し得るならば貫通孔は円柱状の空間でなくてもよいこと、その他、本発明の要旨を逸脱しない範囲内において種々変更を加え得ることは勿論である。
【００８４】
【発明の効果】
以上説明したように、本発明のドリンクホルダーによれば、下記のような優れた効果を奏し得る。
【００８５】
Ｉ）本発明の請求項１によれば、側部支持部の前面に開放部分を備えると共に連結部に隙間を備えることによりドリンク容器の取手を連結部の隙間に上方から挿入して配置し得るので、ドリンク容器で取手付きのものを支持することができる。又、側部支持部、底部支持部、連結部及び柱部の構成により、側部支持部及び底部支持部を上下方向へ回動し得るので、ドリンク容器を支持しない場合には側部支持部及び底部支持部を回動させて退避し、邪魔になることを防止できる。更に、側部支持部及び連結部が分割して形成されることがないよう、側部支持部は周回して一体に形成されると共に連結部は延在して一体に形成されるので、側部支持部及び連結部を強固に形成し、側部支持部及び底部支持部を上下方向に回動させる際には、側部支持部、連結部及び底部支持部に捻じれを抑制し、結果的に、捻じれに伴う破損を防止することができる。
【００８６】
ＩＩ）本発明の請求項２に示す如く、連結部を一枚のプレート板で形成すると、連結部を一層強固にするので、側部支持部及び底部支持部を上下方向に回動させる際には、側部支持部、連結部及び底部支持部に捻じれを無くし、捻じれに伴う破損を確実に防止することができる。
【００８７】
ＩＩＩ）本発明の請求項３によれば、軸部を水平回動可能に支持する取付体により、柱部を介して側部支持部及び底部支持部を左右方向に回動し得るので、ドリンク容器を支持しない場合には、側部支持部及び底部支持部を上下方向へ回動させると共に左右方向へ回動させて退避し、邪魔になることを一層防止できる。
【００８８】
ＩＶ）本発明の請求項４、５又は６によれば、柱部に回転軸を備えていない場合であっても、取付体の基部と挟込部を介して柱部を軸転させるので、回転軸の有無に関係なく、側部支持部、連結部及び底部支持部を水平回転させることができる。又、柱部を水平回動させる際には、取付体の基部と挟込部により柱部を水平回転させるので、柱部に回転軸を固設するような複雑な構造を不要とし、結果的に製造コストを低減することができる。更に、柱部を取付体への差し込みにより取付体に接続するので、回動構成の組み立てを容易にし、取扱いを簡易にすることができる。更に又、側部支持部、連結部、底部支持部、柱部が破損した場合に容易に交換することができる。
【００８９】
Ｖ）請求項４によれば、挟込部に柱部を挟み込んで軸転させるので、柱部を安定的に水平回動させることができる。請求項５によれば、取付体は、柱部を軸転させる貫通孔のみで柱部を回動させるので、部品点数を低減して製造コストを一層低減することができる。請求項６によれば、案内部の大きさを変更することにより水平回動の硬さ及び柱部の締結を調整し得るので、柱部を適切に水平回動させると共に確実に保持することができる。
【００９０】
ＶＩ）本発明の請求項７によれば、固定部を取付面に予め設けると共に、柱部及び取付体を予め組み立てておくことにより、取付体を固定部に上方からスライド挿入して両側部及び突起部に掛止し、固定部を介して取付体を取付面に迅速に接続することができる。又、側部支持部、連結部、底部支持部、柱部、取付体が破損した場合に容易に交換することができる。
【図面の簡単な説明】
【図１】本発明のドリンクホルダーの実施の形態の第一例を示す概略斜視図である。
【図２】本発明のドリンクホルダーの第一例の側部支持部と連結部の接続状態を示す平面図である。
【図３】図２のＩＩＩ−ＩＩＩ矢視図である。
【図４】本発明のドリンクホルダーの第一例の底部支持部と連結部の接続状態を示す平面図である。
【図５】図４のＶ−Ｖ矢視図である。
【図６】本発明のドリンクホルダーの第一例によって取手付きのドリンク容器を支持した状態を示す概略斜視図である。
【図７】本発明のドリンクホルダーの第一例の側部支持部及び底部支持部を上方に回動した状態を示す概略斜視図である。
【図８】本発明のドリンクホルダーの実施の形態の第二例を示す概略斜視図である。
【図９】本発明のドリンクホルダーの実施の形態の第三例を示す概略斜視図である。
【図１０】本発明のドリンクホルダーの第三例を組み立てる際の第一段階を示す概略斜視図である。
【図１１】本発明のドリンクホルダーの第三例を組み立てる際の第二段階を示す概略斜視図である。
【図１２】本発明のドリンクホルダーの固定部の他の例を示す概略斜視図である。
【図１３】本発明のドリンクホルダーの第四例を組み立てる際の状態を示す概略斜視図である。
【図１４】本発明のドリンクホルダーの第五例を組み立てる際の第一段階を示す概略斜視図である。
【図１５】本発明のドリンクホルダーの第五例を組み立てる際の第二段階を示す概略斜視図である。
【図１６】従来のドリンクホルダーの一例を示す概略図である。
【図１７】従来のドリンクホルダーの他の例を示す概略図である。
【図１８】従来のドリンクホルダーの更に他の例を示す概略図である。
【符号の説明】
６０      第一例のドリンクホルダー
６１      ドリンク容器
６１ａ  側部
６１ｂ  底部
６１ｃ  取手
６２      側部支持部
６３      底部支持部
６４      連結部
６６ａ  開放部分
６７      掛止部
６８      隙間
７０      第二例のドリンクホルダー
７１      軸部
７５      取付体
７７      固定部
７９      両側部
８０      第三例のドリンクホルダー
８１      取付体
８４      切込
８５      挟込部
８６      貫通孔
８７      上面
８９      通路切込
９０      基部
９４      固定部
９６      両側部
９７      突起部
１１０      第四例のドリンクホルダー
１２０      第五例のドリンクホルダー
１２１      取付体
１２５      通路切込
１２６      基部
１２７ａ  案内部
【図１】
2005000438.tif 000003
【図２】
2005000438.tif 000004
【図３】
2005000438.tif 000005
【図４】
2005000438.tif 000006
【図５】
2005000438.tif 000007
【図６】
2005000438.tif 000008
【図７】
2005000438.tif 000009
【図８】
2005000438.tif 000010
【図９】
2005000438.tif 000011
【図１０】
2005000438.tif 000012
【図１１】
2005000438.tif 000013
【図１２】
2005000438.tif 000014
【図１３】
2005000438.tif 000015
【図１４】
2005000438.tif 000016
【図１５】
2005000438.tif 000017
【図１６】
2005000438.tif 000018
【図１７】
2005000438.tif 000019
【図１８】
2005000438.tif 000020